(57)【要約】【課題】  本発明は、撮像画像を効率良く閲覧検索できる撮像装置を提供することを目的とする。【構成】  本発明を適用した撮像装置は、被写体像を電気信号に変換し、被写体像画像信号を出力する撮像素子２１と、前記被写体像信号を画像データに変換する画像処理部２２と、画像データを記憶する記憶媒体２９と、画像データを表示する表示部２４と、表示部２４に表示する画像データに重ねて該画像データを撮影したユーザー情報を表示するよう制御する表示手段制御部（２０、２３）と具備する。【選択図】図２
2006201522.tif 000002
【特許請求の範囲】
【請求項１】
被写体像を電気信号に変換し、被写体像画像信号を出力する撮像素子と、
前記被写体像信号を画像データに変換する画像処理部と、
画像データを記憶する記憶媒体と、
画像データを表示する表示部と、
前記表示部に表示する画像データに重ねて該画像データを撮影したユーザー情報を表示するよう制御する表示手段制御部と有することを特徴とする撮像装置。
【発明の詳細な説明】
【技術分野】
【０００１】
本発明は、撮像装置に関する。
【背景技術】
【０００２】
従来より、撮像画像を効率的に閲覧するために、撮像時の撮影設定や撮像日時等により画像を分類して閲覧可能なものがある（例えば特許文献１）。
【特許文献１】特開平１１−２１５４５７号公報
【発明の開示】
【発明が解決しようとする課題】
【０００３】
しかし、一つの撮像装置を、複数のユーザーが共有して撮像する場合、同日に撮像される画像が多量になるため、撮像日により分類される上述した従来例では、効率的に画像を閲覧できるとは言い難い。
【０００４】
本発明は、撮像画像を効率良く閲覧検索できる撮像装置を提供することを目的とする。
【課題を解決するための手段】
【０００５】
本発明を適用した撮像装置は、被写体像を電気信号に変換し、被写体像画像信号を出力する撮像素子と、前記被写体像信号を画像データに変換する画像処理部と、画像データを記憶する記憶媒体と、画像データを表示する表示部と、前記表示部に表示する画像データに重ねて該画像データを撮影したユーザー情報を表示するよう制御する表示手段制御部と具備する。
【発明の効果】
【０００６】
本発明を適用した撮像装置は、撮像画像を効率良く閲覧または検索できる。
【発明を実施するための最良の形態】
【０００７】
以下、図面を用いて本発明を適用した実施の形態について説明する。
図１に本発明を適用したデジタルカメラ１の斜視図を示す。デジタルカメラ１は、レンズ一体型デジタルカメラである。
＜構成＞
デジタルカメラ１のカメラボディ上面には電源釦２、レリーズ釦３が配置されている。またカメラボディ背面には、モード切換スイッチ４、ズームスイッチ５、ファンクション釦６、リングセンサ７、決定釦８、メニュー釦９、削除釦１０、背面液晶１１が配置されている。
【０００８】
モード切換スイッチ４はスライド式の切換スイッチであり、本実施の形態ではカメラの動作モードの切換時に用いられる。ズームスイッチ５は、周知のワイドスイッチ（Wスイッチ）とテレスイッチ（Tスイッチ）の２つのスイッチからなる複合スイッチであり、撮像レンズのズーム倍率を変更する際等に用いられる。ファインクション釦６は、各カメラの動作モードで実行するファンクションメニューを表示するためのスイッチである。リングセンサ７は、圧力の変化を感知する圧力感知式のリング状タッチセンサが配置されたものであり、該センサを指等で時計回り（以後、右回りとする）又は半時計回り（以後、左回りとする）に操作する（なぞる）ことにより、メニューの選択表示や、選択されたAFエリアの選択表示等の選択項目の選択状態を示す選択枠等の表示をスクロール移動させる。
【０００９】
なお、リングセンサ７は、圧力感知式のリング状タッチセンサとしたが、リング形状に沿った回転操作を感知するものであればこれに限るものではない。例えば、リングセンサの素材を静電気による電気信号を感知する静電式のリング状タッチセンサとしても良く、また、リング状で回転可能に設置された回転ダイアルスイッチや、リング状にセンサもしくはスイッチを少なくとも5個以上配置したもの等でも良い。
【００１０】
リングセンサ７の下には押圧式のスイッチである上釦７a、下釦７ｂ、左釦７ｃ、右釦７ｄが配置されている。メニュー釦９は、デジタルカメラ１の動作設定を行うためのメニュー画面を背面液晶１１に表示させるためのスイッチである。釦削除１０は画像表示モードの際に背面液晶１１に選択表示されている撮像済み画像を削除するためのスイッチである。
【００１１】
＜ブロック＞
以下、本実施の形態におけるデジタルカメラ１の構成部材での基本的な処理についてブロック図を基に説明する。デジタルカメラ１のブロック図を図２に示す。
【００１２】
＜制御部＞
制御部２０は、ＣＰＵ等を含み上記接続された部材をコントロールする。
＜撮像及び画像処理＞
撮像素子２１は、不図示の撮像レンズにより結像した被写体像を電気信号に変換するＣＣＤやＣＭＯＳ等の固体撮像素子である。撮像素子２１は、制御部２０等の制御により、画像信号の読み出し等の制御や、電子シャッターの制御駆動等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用画像データや、記録用画像データ等へ変換される。該記録用画像データは大容量記憶媒体２９に記憶され、表示用画像データは液晶制御部２３により背面液晶部２４に表示される。なお、記録用画像データを、ＥＥＰＲＯＭ２７や外部メモリ２８等に記憶するとしても良い。
【００１３】
＜記録処理＞
ＲＡＭ２５は、制御部２０及び画像処理部２２等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。大容量記憶媒体２９は、画像データ等が保存可能な、ハードディスク等の大容量の磁気ディスクやDVD等の大容量の光ディスク等の記憶媒体である。
【００１４】
＜画像表示処理＞
液晶制御部２３は、制御部２０の指令により送られた表示用画像データを背面液晶部２４へ表示させる。背面液晶部２４は背面液晶１１等を含む。
【００１５】
＜操作部＞
操作部３０は、電源釦２、レリーズ釦３、動作モード切換スイッチ４、ズームスイッチ５、ファンクション釦６、リングセンサ７、決定釦８、メニュー釦９削除釦１０等を含む。
【００１６】
＜カメラの動作＞
以下デジタルカメラ１の動作について説明する。
本実施の形態におけるデジタルカメラ１は、ユーザーが設定した撮像処理条件により撮像動作及び撮像画像の処理を行う静止画撮影モード、動画を撮像する動画撮影モード、音声を録画する音声録画モード、背面液晶部２４に表示されたメニュー画面を見ながら各種機能の設定を行うメニューモード、背面液晶部２４に撮影済みの記録用画像データ等を表示させる画像表示モードを持つ。
【００１７】
各モードの切り換は、静止画撮影モード、動画撮影モード、音声録画モード、画像表示モードへの切り換えはモード切換スイッチにより行われる。メニューモードへの切換は各モード時にメニュー釦９を押圧操作することにより切換できる。
【００１８】
また、デジタルカメラ１は、複数のユーザーIDを登録することにより、ユーザーごとに、撮像画像を分類可能なマルチユーザー機能を持つ。
以下、周知な静止画撮影モード、動が撮駅モード、音声録音モード、メニューモード、画像表示モードでの処理については省略し、マルチユーザー機能特有の処理について説明する。
【００１９】
＜マルチユーザー機能＞
本実施の形態におけるデジタルカメラは、撮像画像をマスター領域に記憶されるマスターモードと、複数のユーザーIDごとに、撮像画像を分類し記憶するなマルチユーザーモードとが選択可能である。
【００２０】
デジタルカメラ１を起動時にはマスターモードに設定されている。マルチユーザーモードに切り換えるには、メニューモードの際にマルチユーザーモードを選択し切り換える。マスターモードからマルチユーザーモードに切り換えると、まずユーザーID選択画面が背面液晶１１に表示される。
【００２１】
＜ユーザーIDの選択＞
ユーザーID選択画面を図３aに示す。ユーザーID選択画面は、ユーザーID名表示領域４０、ユーザーアイコン表示領域４１、ユーザー画像枚数４２、メッセージ領域４３をワンセットとするユーザー領域が各ユーザーごと設けられている。図３aでは4人のユーザーが表示されている。
【００２２】
ユーザーID名表示領域４０にはユーザーの名称が表示される。図３aではユーザーの名称は「ＵＳＥＲ１」である。ユーザー名は任意に変更可能である。
ユーザーアイコン表示領域４１には、ユーザーＩＤ名称表示領域４０に示されたユーザーＩＤを示すアイコンが表示される。アイコンは、ＲＯＭ２６やＥＥＰＲＯＭ２７等に記憶されている所定のアイコンからユーザーが選択して変更可能である。またユーザーアイコンとして、大容量記憶媒体２９等に記憶されている任意の画像ファイルを縮小した画像を用いることもできる。
【００２３】
ユーザー画像枚数４２には、大容量記憶媒体２９内のユーザーＩＤ名称表示領域４０に表示されているユーザーの画像記憶領域に保存されている画像ファイルの枚数が表示される。大容量記憶媒体２９内の画像記憶領域の構造については後述する。
【００２４】
メッセージ領域４３には、ユーザーＩＤ名称表示領域４０に表示されているユーザーに他のユーザーから送られたメッセージがある場合に、メッセイージアイコン４３aが表示される。メッセージ機能については後述する。
【００２５】
ユーザーID選択画面が表示されると、まず選択枠１００が、USER１の領域であるユーザーID名表示領域４０、ユーザーアイコン表示領域４１、ユーザー画像枚数４２、メッセージ領域４３を囲む様に表示される。選択枠１００は、リングセンサ７を左又は右回りに操作することにより、他のユーザー領域であるUSER２領域４４、USER３領域４５、USER４領域４６に移動可能である。決定釦８を押圧操作すると選択枠１００により囲まれているユーザーが使用ユーザーとして設定される。
【００２６】
＜マルチユーザーON時の画像分類＞
マルチユーザーモードの際の各ユーザーによる撮像画像ファイルの分類および大容量記憶媒体２９内のディレクトリ構成ついて図４aを用いて説明する。
大容量記録媒体２９のルートディレクトリ直下には、マルチユーザーモードの際に各ユーザーの撮像画像ファイル等をそれぞれ分類して記憶するためのユーザーズディレクトリ（USERSディレクトリ６０）と、マスターモードの際に撮像された撮像画像ファイル等を記憶するためのDCF (Design rule for Camera File system)規格にのっとった構成となるDCFイメージルートディレクトリ（DCIMディレクトリ７０）およびDCFイメージルートディレクトリ（DCIMディレクトリ７０）直下にDCFディレクトリ（１００ABCDEディレクトリ７１）と、胴階層のDCFイメージルートディレクトリ（DCIMディレクトリ７０）内に記憶された撮像画像ファイルの印刷設定等の設定情報ファイルを記憶するためのMISCディレクトリ（MISCディレクトリ７３）とが設けられている。
【００２７】
デジタルカメラ１がマスターモードに設定されている際には、撮像された画像ファイルは上述した大容量記憶媒体２９のルートディレクトリにあるDCFイメージルートディレクトリ（DCIMディレクトリ７０）直下に設けられたDCFディレクトリ（１００ABCDEディレクトリ７１）に保存される。なお、マスターモードの際に撮像した動画ファイルおよび録画された音声ファイルも画像ファイルと同様に大容量記憶媒体２９のルートディレクトリにあるDCIMイメージルートディレクトリの直下のDCFディレクトリに記録される。
【００２８】
ユーザーズディレクトリ（USERSディレクトリ６０）の直下には、各ユーザーごとにホームディレクトリが設けられている（USER１およびUSER２）。各ホームディレクトリの直下には各ホームディレクトリ（例えばUSER１ディレクトリ６１）をルートディレクトリとした際に上述したDCF規格にのっとった構成となるように、その直下にDCFディレクトリ（１００ABCDE６３）を持つ構成としたDCFイメージルートディレクトリ（DCIMディレクトリ６２）および、胴階層のDCFイメージルートディレクトリ（DCIMディレクトリ６２）内に記憶された撮像画像ファイルの印刷設定等の設定情報ファイルを記憶するためのMISCディレクトリ（MISCディレクトリ６４）とが設けられている。
【００２９】
デジタルカメラ１がマルチユーザーモードに設定されている際には、撮像された画像ファイルは大容量記憶媒体２９直下のユーザーズディレクトリ（USERSディレクトリ６０）直下にあるホームディレクトリ（USER１ディレクトリ、USER２ディレクトリ）の内の、現在ユーザーとして設定されているユーザーのホームディレクトリ内にあるDCIMイメージルートディレクトリの直下のDCFディレクトリに記録される。例えばマルチユーザーモードでユーザーとしてUSER１が設定されている際には撮像画像ファイルは、USER1のホームディレクトリであるUSER1ディレクトリ６１内のDCFイメージルートディレクトリ６２直下のDCFディレクトリである１００ABCDディレクトリ６３に記憶される。なお、各ユーザーが撮像した動画ファイルおよび録画された音声ファイルも画像ファイルと同様に各ユーザーのホームディレクトリ内にあるDCIMイメージルートディレクトリの直下のDCFディレクトリに記録される。
【００３０】
なお、MISCディレクトリ６４およびMISCディレクトリ７３は、胴階層以下のディレクトリに記憶されている画像ファイルを印刷するための設定ファイル等が記憶されるディレクトリであり、設定ファイル等が存在しない状況においては設けられていなくても良い。
また、外部メモリ２８には、大容量記憶媒体２９に記憶された画像ファイルを移動又はコピーすることができる。
【００３１】
マスターモードで撮像された画像ファイルを外部メモリ２８にコピー又は移動する場合は、大容量記憶媒体２９のルートディレクトリにあるDCFイメージルートディレクトリ（DCIMディレクトリ７０）およびMISCディレクトリ（MISCディレクトリ７３が）がそのまま外部メモリ２８のルートディレクトリにコピー又は移動される。
【００３２】
マルチユーザーモードで撮像された所定のユーザーの画像ファイルを外部メモリにコピーする又は移動する場合は、画像ファイルをコピー又は移動するユーザーのホームディレクトリのルートディレクトリ直下にあるディレクトリを、外部メモリ２８のルートディレクトリにそのままコピー又は移動される。
【００３３】
上述のしたように、各ユーザーのホームディレクトリの中のディレクトリ構造がDCF規格と同様のディレクトリ構成を持つため、各ユーザーが撮像した画像ファイルを外部メモリ２８に移動する際は、各ホームディレクトリ直下のディレクトリ構成をそのまま外部メモリ２８のルートディレクトリにコピー又は移動するだけで、外部メモリ２８にDCF規格に沿ったディレクトリ構成でコピー又は移動することが可能である。
【００３４】
＜画像再生時のユーザーアイコンの表示＞
本実施の形態におけるデジタルカメラ１において、画像表示モードの際に再生できるファイルは、マスターモードに設定されている場合は、大容量記憶媒体２９のルートディレクトリにあるDCFイメージルートディレクトリ（DCIMディレクトリ７０）の直下のDCFディレクトリ（１００ABCDEディレクトリ７１）に記憶されている画像ファイルおよび、ユーザーズディレクトリ（USERSディレクトリ６０）直下にある各ユーザーのホームディレクトリ（例えばUSER１ディレクトリ６１）内にあるDCFルートイメージディレクトリ（例えばDCIMディレクトリ６２）の直下の各ユーザーの画像記録領域であるDCFディレクトリ（例えば１００ABCDEディレクトリ６３）にある各ユーザーの画像ファイルである。
【００３５】
マルチユーザーモードで各ユーザーが設定されている際に、画像表示モードで再生できる画像ファイルは、大容量記憶媒体２９の設定されているユーザーのホームディレクトリの中のDCFイメージルートディレクトリの直下にあるDCFディレクトリ内に記憶されている画像ファイル、および動画ファイル、音声ファイル等である。
【００３６】
マルチユーザーモードでユーザーが設定されている際に撮像された画像ファイルには、そのヘッダ領域に、ユーザーIDが記憶される。
画像再生モードでは、マルチユーザーモードの際に撮像および録音されたファイルを背面液晶１１に表示する際に、撮像画像ファイルと共に該撮像画像ファイルのヘッダ領域に記憶されたユーザーIDと一致するユーザーのユーザーアイコン（USER１の撮像した画ではユーザーID選択画面のユーザーアイコン表示領域４１に表示されるユーザーアイコン）を表示することができる。
【００３７】
図３ｂに「USER1」により撮像された画像ファイルが背面液晶１１に表示されている様子を示す。図示のごとく背面液晶１１にはUSER１により撮像された画像ファイル５０が表示されると共にUSER１のユーザーアイコンがアイコン表示領域５１に表示される。これにより、複数のマルチユーザーモードで各ユーザーにより設定されて撮像された画像ファイル閲覧する際に表示されている画像ファイルがどのユーザーにより撮像されたかが容易に認識可能となる。なお、マルチユーザーモードでユーザーが設定されている際に画像表示モードで撮像済み画像ファイルを再生する場合は、現在設定されているユーザーのユーザーのユーザーアイコンはユーザーアイコン表示領域５１には表示されない。つまり、マルチユーザーモードでユーザーがUSER１に設定されている際に、画像表示モードでUSER1が撮像した画像ファイルを再生する時にはユーザーアイコン表示領域５１にはユーザーアイコンは表示されずに、USER１以外のユーザー（USER２、USER3、USER4）により撮像された画像ファイルを表示する際には、該画像ファイルと共に画像ファイルを撮像したユーザーのユーザーアイコンがユーザーアイコン表示領域５１に表示される。
【００３８】
なお、上述した画像ファイルの場合と同様に動画のサムネイル表示または音声ファイルの表示等にもユーザーアイコン表示領域５１がもうけられそれぞれのファイルを撮像又は録音したユーザーのユーザーアイコンが表示される。
【００３９】
＜メッセージ＞
デジタルカメラ１では、マルチユーザーモードに設定されている際にユーザー間で画像ファイルのやり取りができるメッセージ機能を持つ。
【００４０】
メッセージを送信するには、まず、ユーザーは画像表示モードの際に表示されている画像ファイルから他のユーザーに送信するメッセージ用画像ファイルを選択する。
メッセージを送信するには、まず、マルチユーザーモードでメッセージを送信するユーザーを使用ユーザー（例えばUSER２）として設定する。次に画像表示モードにおいてホームディレクトリに記憶されている画像ファイルの内のメッセージとして送信する画像ファイルを表示させメッセージ用画像ファイルとして選択する。画像ファイルの選択は、送信する画像ファイルを表示あるいは選択表示させた状態でメニューボタン９を押圧操作することにより表示されるメニューからメッセージ用画像ファイルとして設定できる。なお、複数の画像ファイルを選択しメッセージ用画像ファイルとして選択するとしても良い。メッセージとして送信する画像ファイルの選択が終了すると、次に選択された画像ファイルを送信するユーザーを設定することによりメッセージの送信が完了する。メッセージが送信されると、ユーザーID選択画面のメッセージを受信したユーザーのユーザー領域にあるメッセージ領域に受信したメッセージがあることを表示するメッセージアイコン４３aが表示される。図３aにおいては、USER１のメッセージ領域４３にメッセージマーク４３aが表示されておりUSER１にメッセージがあることを示している。
【００４１】
ユーザーID選択画面でメッセージを受信しているユーザーを使用ユーザーとして選択すると、選択したユーザーを使用ユーザーとして設定すると共に、メッセージとして送信された画像ファイルを表示することができる。メッセージとして受信した画像ファイルは、メッセージを受信したユーザーのホームディレクトリ内に記憶させることもできる。なお、画像ファイルと同様に動画撮影モードで撮影された動画ファイルや音声録音モードで録音された音声ファイルもメッセージとして送受信できる。また、画像ファイルに関連付けられた音声ファイル等のファイルがある場合は、該画像ファイルがメッセージ用画像ファイルとて選択されるとその画像ファイルに関連付けられた音声ファイル等のファイルも共に送受信される。
【００４２】
上述したように、画像ファイルや動画ファイル、画像ファイルに関連付けられた音声ファイルや、音声ファイル等をメッセージとして送受信することによりユーザー間でコミュニケーションをとることができる。
＜デジタルカメラの基本フロー＞
デジタルカメラ１の基本処理についての図５に示すフロー図を基に説明する。
【００４３】
デジタルカメラ１の電源がオンされると、まず、ステップS１０１でカメラの起動処理が行われると共にマスターモードに設定される。起動処理とは撮像素子２１や、制御部２０等の電気回路の起動および撮像レンズの駆動等の初期処理である。次にステップS１０２で静止画撮影モードや動画撮影モード、音声録音モードの際に作成されるファイルの記録先をマスターモードでの記憶領域に設定する。次にステップS１０３〜S１０６により現在どの動作モードに設定されているかが判定される。動作モードに静止画撮像モードが設定されている場合はステップS１０７へ移り静止画撮像処理が行われる。動作モードに動画撮像モードが設定されている場合はステップS１０８へ移り動画撮像処理が行われる。動作モードに音声録音モードが設定されている場合はステップS１０９へ移り音声録音処理が行われる。動作モードに画像表示モードが設定されている場合はステップS１１０へ移り画像表示処理が行われる。動作モードにメニューモードが設定されている場合はステップS１１１へ移りメニュー処理が行われる。各動作モードでの各処理（ステップS１０７〜S１１１）中に、デジタルカメラの電源をOFFされる、又は動作モードが変更される又は、使用ユーザーが変更されると各処理が終了しステップS１１２へ移る。ステップS１１２ではユーザーが変更されたか否かの判定が行われる。なおユーザーの変更とはマルチユーザーモードからマスターモードへの変更も含む。ユーザーが変更されている場合はステップS１１３へ移り、ユーザーが変更されていない場合ステップS１１５へ移る。ステップS１１３ではマルチユーザーモードからマスターモードへ変更されたか否かを判定する。マルチユーザーモードからマスターモードへ変更された場合はステップS１０２へ戻り、マルチユーザーモードからマスターモードへ変更されていない場合はステップS１１４のユーザー変更サブルーチンへ移る。ステップS１１４のユーザー変更処理サブルーチンでは使用ユーザーが変更され、それに応じて画像等の記録先も変更される。ステップS１１４のユーザー変更サブルーチンが終了するとステップS１１５へ移る。
【００４４】
ステップS１１５では、デジタルカメラ１の電源がOFF操作されたか否かの判定が行われる。電源がOFF操作された場合は、終了処理をおこないデジタルカメラ１の電源をOFFし終了する。電源がOFF操作されていない場合はステップS１０３へ戻る。
【００４５】
＜ユーザー変更処理サブルーチン＞
ユーザー変更処理について図６に示すフロー図を基に説明する。
まず、ステップS２０１ではユーザーID変更画面が背面液晶１１に表示される。次にステップS２０２で、ユーザーは、リングセンサ７を左又は右回りに操作することにより変更したいユーザーに選択枠１００を移動させ決定釦８を押圧操作することにより使用ユーザーを設定する。次にステップS２０３で、静止画撮影モードや動画撮影モード、音声録音モードの際に作成されるファイルの記録先をステップS２０２で設定された使用ユーザーの記憶領域（使用ユーザーのホームディレクトリのルートディレクトリにあるDCFイメージルートディレクトリ直下のDCFディレクトリ）に変更する。ステップS２０４では使用ユーザーに設定されたユーザーがメッセージを受信しているか否かの判定を行う。使用ユーザーに選択されたユーザーがメッセージを受信している場合はステップS２０５へ移り、使用ユーザーに選択されたユーザーがメッセージを受信していない場合はユーザー変更処理サブルーチンを終了する。ステップS２０５では、メッセージを再生するか否かの判定が行われる。メッセージを再生すると決定されている場合はステップS２０６へ移り、メッセージを再生しない決定がされた場合はユーザー変更処理サブルーチンを終了する。ステップS２０６では、使用ユーザーに選択されたユーザーがメッセージとして受信したファイルを再生する。ステップS２０７ではメッセージとして受信したファイルを記録するか否かの判定が行われる。ファイルを記録する決定がされた場合はステップS２０８へ移り、ファイルを記録しない決定がされた場合はユーザー変更処理サブルーチンを終了する。ステップS２０８では、メッセージとして受信したファイルを保存先に設定されたユーザーの記憶領域に保存すし、ユーザー変更処理サブルーチンを終了する。
【００４６】
＜選択ファイル表示フロー＞
画像表示モードにおいて、背面液晶１１に表示される際の画像表示処理について画像表示モードの際に、画像ファイル又は動画ファイル又は音声ファイルが選択され、背面液晶１１に該選択されたファイルの表示画像が表示されるまでの処理について図７に示すフロー図を基に説明する。なお、表示画像とは、静止画ファイルの場合は、サムネイル画像、動画ファイルの場合は、動画ファイル無いに記憶されているサムネイル画像が、音声ファイルの場合は、音声ファイルであることを示す画像である。
【００４７】
背面液晶１１に表示するファイルが選択されると、まず、ステップS３０１で選択されたファイルをファイルの記憶領域から読み出す。次にステップS３０２で、ステップS３０１で読み出したファイルのヘッダ領域に記憶されている、ユーザーIDを読込む。ステップS３０３では現在使用ユーザーに設定されているユーザーとステップS３０２で読込んだユーザーIDが一致するか否かの判定を行う。現在の使用ユーザーとユーザーIDが合致しない場合はステップS３０４へ移り、現在の使用ユーザーとユーザーIDが合致する場合はステップS３０５へ移る。ステップS３０４ではステップS３０２で読込んだユーザーIDのユーザーのユーザーアイコンをステップS３０１で読込んだ選択ファイルの表示画像とを合成し背面液晶１１に表示して、選択ファイル表示処理を終了する。ステップS３０５では、ステップS３０１で読込んだ選択ファイルの表示画像を背面液晶１１に表示させ、選択ファイルの表示処理を終了する。
【００４８】
以上、本発明を適用した実施の形態の１例としてデジタルカメラ１について説明したが、本発明はこれに限るものではない。
上述では、大容量記憶媒体２９のルートディレクトリにユーザーズディレクトリを設け該ユーザーズディレクトリに各ユーザーのホームディレクトリを設けたが、大容量記憶媒体２９のルートディレクトリに各ユーザーのホームディレクトリを設けるとしても良い。
【００４９】
また上述では、各ユーザーのホームディレクトリのルート領域にあるディレクトリ構成をそのまま他の記録媒体へ移動した際に、該他の記録媒体の構成がDCF規格にそった構成となるようなディレクトリ構成を各ユーザーのホームディレクトリに作成したが、各ユーザーのホームディレクトリのルート領域にあるディレクトリ等をそのまま他の媒体のルートディレクトリに移動した際に、該他の媒体の構成が所定の規格にそった構成となるなら、各ユーザーのホームディレクトリのルート領域にあるディレクトリ構成はどのような規格と同様となるものでも良い。
【００５０】
以上、レンズ一体型デジタルカメラを例に説明したが、これに限るものではなく、レンズ交換式デジタルカメラや、ビデオカメラ、画像閲覧するための画像表示装置等に本発明を適用しても良い。
【図面の簡単な説明】
【００５１】
【図１】デジタルカメラ１の斜視図
【図２】デジタルカメラ１のブロック図
【図３】背面液晶１１の表示例
【図４】大容量記憶媒体および外部メモリのディレクトリ構成
【図５】デジタルカメラの基本フロー
【図６】ユーザー変更処理のフロー
【図７】ファイル再生時の処理フロー
【符号の説明】
【００５２】
１  デジタルカメラ
２  電源釦
３  レリーズ釦
４  モード切換スイッチ
５  ズームスイッチ
６  ファンクション釦
７  リングセンサ
８  決定釦
９  メニュー釦
１０  削除釦
１１  背面液晶
２０  制御部
２１  撮像素子
２２  画像処理部
２３  液晶制御部
２５  RAM
２６  ROM
２７  EEPROM
２８  外部メモリ
２９  大容量記憶媒体
３０  操作部
１００  選択枠
【図１】
2006201522.tif 000003
【図２】
2006201522.tif 000004
【図３】
2006201522.tif 000005
【図４】
2006201522.tif 000006
【図５】
2006201522.tif 000007
【図６】
2006201522.tif 000008
【図７】
2006201522.tif 000009